(57)【要約】本発明は、１つの移動局に割り当てられた無線リソースを同時に２以上の移動局が使用する方法を実現することにより、アップリンクの容量を増加させた。直交周波数分割多重システムにおいて無線リソースを割り当てる方法は、基地局から無線リソース割り当てマップに関するデータを受信する段階を含み、前記無線割当マップは、前記基地局にアップリンクデータを送信するための制御パラメータを含む。前記制御パラメータは、少なくとも１つの移動局が少なくとも同時デュアル送信をサポートすることに関する直交パイロットパターンの使用及び同一周波数帯域と同一時間周期での使用のための直交パイロットパターンインジケータを含む。このような直交パイロットパターンは、アップリンク基本割当単位のために使用される少なくとも１つのマイナスパイロットを含む。前記移動局は、前記直交パイロットパターンを使用してアップリンクデータを前記基地局に送信する。
2008503974.tif 000002
【特許請求の範囲】
【請求項１】
基地局から無線リソース割り当てマップに関するデータを受信する段階と、
移動局が直交パイロットパターンを使用して前記基地局にアップリンクデータを送信する段階とを含み、
前記無線リソース割り当てマップは、前記アップリンクデータを前記基地局に送信するための制御パラメータを含み、前記制御パラメータは、少なくとも１つの移動局が少なくとも同時デュアル送信をサポートすることに関連した直交パイロットパターンの使用、及び同一周波数帯域と同一時間周期での使用のための直交パイロットパターンインジケータを含み、前記直交パイロットパターンは、アップリンク基本割当単位のために使用される少なくとも１つのマイナスパイロットを含むことを特徴とするＯＦＤＭを利用した無線通信システムにおける無線リソース割り当て方法。
【請求項２】
前記アップリンク基本割当単位内の前記直交パイロットパターンは、以下のパイロットパターンの少なくとも１つを含むことを特徴とする請求項１に記載のＯＦＤＭを利用した無線通信システムにおける無線リソース割り当て方法。
【化１】
2008503974.tif 000029
【請求項３】
それぞれの前記直交パイロットパターンは、前記アップリンク基本割当単位の各対角線コーナーに位置するプラスパイロットと前記マイナスパイロットを含むことを特徴とする請求項１に記載のＯＦＤＭを利用した無線通信システムにおける無線リソース割り当て方法。
【請求項４】
前記プラスパイロット及び前記マイナスパイロットは、逆位相を有することを特徴とする請求項３に記載のＯＦＤＭを利用した無線通信システムにおける無線リソース割り当て方法。
【請求項５】
前記直交パイロットパターンに関する情報は、マップ情報要素を使用する前記移動局に伝送されることを特徴とする請求項１に記載のＯＦＤＭを利用した無線通信システムにおける無線リソース割り当て方法。
【請求項６】
前記直交パイロットパターンに関する情報は、ＨＡＲＱマップ情報要素を使用する前記移動局に伝送されることを特徴とする請求項１に記載のＯＦＤＭを利用した無線通信システムにおける無線リソース割り当て方法。
【請求項７】
少なくとも前記同時デュアル送信は、前記移動局において少なくとも２つのアンテナを用いて達成されることを特徴とする請求項１に記載のＯＦＤＭを利用した無線通信システムにおける無線リソース割り当て方法。
【請求項８】
前記アップリンクデータは、前記直交パイロットパターンを使用して同一のサブチャネルに空間多重化された少なくとも２セットのデータを含むことを特徴とする請求項１に記載のＯＦＤＭを利用した無線通信システムにおける無線リソース割り当て方法。
【請求項９】
基地局から無線リソース割り当てマップに関するデータを受信する段階を含み、
前記無線割当マップは、少なくとも１つの移動局が少なくとも同時デュアル送信をサポートすることに関連した直交パイロットパターンの使用、及び同一周波数帯域と同一時間周期での使用のための直交パイロットパターンインジケータを含み、前記直交パイロットパターンは、下記のパイロットパターンを含むことを特徴とするＯＦＤＭを利用した無線通信システムにおける無線リソース割り当て方法。
【化２】
2008503974.tif 000030
【請求項１０】
前記プラスパイロット及び前記マイナスパイロットは、逆位相を有することを特徴とする請求項９に記載のＯＦＤＭを利用した無線通信システムにおける無線リソース割り当て方法。
【請求項１１】
前記直交パイロットパターンに関する情報は、マップ情報要素を使用する前記移動局に伝送されることを特徴とする請求項９に記載のＯＦＤＭを利用した無線通信システムにおける無線リソース割り当て方法。
【請求項１２】
前記直交パイロットパターンに関する情報は、ＨＡＲＱマップ情報要素を使用する前記移動局に伝送されることを特徴とする請求項９に記載のＯＦＤＭを利用した無線通信システムにおける無線リソース割り当て方法。
【請求項１３】
無線リソース割り当てマップに関するデータを移動局に送信する段階と、
直交パイロットパターンを使用してコード化したアップリンクデータを前記移動局から受信する段階とを含み、
前記無線割当マップは、前記アップリンクデータを前記基地局に送信するための制御パラメータを含み、前記制御パラメータは、少なくとも１つの移動局による少なくとも同時デュアル送信のサポートに関する直交パイロットパターンの使用、及び同一周波数帯域と同一時間周期での使用のための直交パイロットパターンインジケータを含み、前記直交パイロットパターンは、アップリンク基本割当単位のために使用される少なくとも１つのマイナスパイロットを含むことを特徴とするＯＦＤＭを利用した無線通信システムにおける無線リソース割り当て方法。
【請求項１４】
前記アップリンク基本割当単位内の前記直交パイロットパターンは、以下のパイロットパターンの少なくとも１つを含むことを特徴とする請求項１３に記載のＯＦＤＭを利用した無線通信システムにおける無線リソース割り当て方法。
【化３】
2008503974.tif 000031
【請求項１５】
それぞれの前記直交パイロットパターンは、前記アップリンク基本割当単位の各対角線コーナーに位置するプラスパイロットと前記マイナスパイロットを含むことを特徴とする請求項１３に記載のＯＦＤＭを利用した無線通信システムにおける無線リソース割り当て方法。
【請求項１６】
前記プラスパイロット及び前記マイナスパイロットは、逆位相を有することを特徴とする請求項１５に記載のＯＦＤＭを利用した無線通信システムにおける無線リソース割り当て方法。
【請求項１７】
前記直交パイロットパターンに関する情報は、マップ情報要素を使用する前記移動局に伝送されることを特徴とする請求項１３に記載のＯＦＤＭを利用した無線通信システムにおける無線リソース割り当て方法。
【請求項１８】
前記直交パイロットパターンに関する情報は、ＨＡＲＱマップ情報要素を使用する前記移動局に伝送されることを特徴とする請求項１３に記載のＯＦＤＭを利用した無線通信システムにおける無線リソース割り当て方法。
【請求項１９】
前記少なくとも同時デュアル送信は、前記移動局で少なくとも２つのアンテナを用いて達成されることを特徴とする請求項１３に記載のＯＦＤＭを利用した無線通信システムにおける無線リソース割り当て方法。
【請求項２０】
前記アップリンクデータは、前記直交パイロットパターンを使用して前記同一サブチャネルに空間多重化された少なくとも２セットのデータを含むことを特徴とする請求項１３に記載のＯＦＤＭを利用した無線通信システムにおける無線リソース割り当て方法。
【発明の詳細な説明】
【技術分野】
【０００１】
本発明は、直交周波数分割多重アクセス（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ：ＯＦＤＭＡ）タイプのシステムに関し、特に、ＯＦＤＭＡシステムにおける無線リソース割り当てに関する。
【背景技術】
【０００２】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）システムにおいて、高速の直列信号は、複数の並列信号に分離されて直交副搬送波（ｓｕｂ−ｃａｒｒｉｅｒ）を使用して変調された後、送受信される。従って、狭い帯域に分けられた直交副搬送波は、フラットフェージング（ｆｌａｔ  ｆａｄｉｎｇ）を受けることにより、周波数選択性フェージングチャネルに対して優れた特性を有する。また、送信装置がガードインターバル（ｇｕａｒｄ  ｉｎｔｅｒｖａｌ）インターリービングのような簡単な方法を用いて副搬送波間の直交性を保つので、受信装置は複雑なイコライザやＤＳ−ＣＤＭＡ（Ｄｉｒｅｃｔ  Ｓｅｑｕｅｎｃｅ−Ｃｏｄｅ  Ｄｉｖｉｓｉｏｎ  Ｍｕｌｔｉｐｌｅｘｉｎｇ  Ａｃｃｅｓｓ）方式において一般的に使用されるレーキ（ｒａｋｅ）受信機などを必要としない。ＯＦＤＭ方式は、このような優れた特性により、ＩＥＥＥ８０２．１１ａ又は高性能無線ローカルエリアネットワーク（ＨＩＰＥＲＬＡＮ）のような無線ＬＡＮ、及びＩＥＥＥ８０２．１６のような固定ブロードバンド無線アクセス（ｆｉｘｅｄ  ｂｒｏａｄｂａｎｄ  ｗｉｒｅｌｅｓｓ  ａｃｃｅｓｓ）において標準変調方式として採択されており、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）において変調及び復調／多重アクセス方式の適用可能技術の１つとして検討されたことがある。
【０００３】
現在、前記ＯＦＤＭに基づく様々な多重アクセス方式が活発に研究されており、このうち、前記ＯＦＤＭＡ方式は、超高速マルチメディアサービスのように急速に増大するユーザ要求を満たす次世代移動通信を達成するための有望な候補技術として積極的に検討及び研究されている。前記ＯＦＤＭＡ方式は、時分割アクセスと周波数分割アクセス技術を結合する２次元接続方法を用いる。
【０００４】
図１は、従来の無線リソースの割り当てを示す図である。図１に示すように、無線通信システムは、限られたアップリンク／ダウンリンクの無線リソースを複数のユーザが分けて使用する。しかし、１ユーザに割り当てられた無線リソースを複数のユーザが分けて使用することはない。すなわち、２人又はそれ以上のユーザに同一のリソースを割り当てる方法は存在しない。
【０００５】
例えば、ＴＤＭＡ（Ｔｉｍｅ  Ｄｉｖｉｓｉｏｎ  Ｍｕｌｔｉｐｌｅｘｉｎｇ  Ａｃｃｅｓｓ）システムの場合、所定時間間隔がユーザに割り当てられ、前記特定の割り当てられた時間間隔ではそのユーザのみが無線リソースを使用できるようにスケジューリングする。また、ＣＤＭＡ（Ｃｏｄｅ  Ｄｉｖｉｓｉｏｎ  Ｍｕｌｔｉｐｌｅｘｉｎｇ  Ａｃｃｅｓｓ）システムの場合、ユーザ別に異なるコードを割り当てるようにスケジューリングする。すなわち、１コードは１ユーザにのみ割り当てられる。ＯＦＤＭ／ＯＦＤＭＡシステムの場合は、時間及び周波数で表現された２次元マップで構成された割り当て領域を１ユーザのみが使用できる。
【０００６】
図２は、従来のＯＦＤＭ／ＯＦＤＭＡ無線通信システムにおけるデータフレームの構成を示す図である。図２において、横軸はシンボル単位で時間を示し、縦軸は、サブチャネル単位で周波数を示す。前記サブチャネルは、複数の副搬送波の束を意味する。
【０００７】
ＯＦＤＭＡ物理層は、アクティブ副搬送波をグループに分け、前記アクティブ副搬送波は、グループ別にそれぞれ異なる受信端に送信される。このように、１受信端に送信される副搬送波のグループをサブチャネルという。ここで、各サブチャネルを構成する副搬送波は、互いに隣接しているか、又は、等間隔で離れていることもある。
【０００８】
図２において、各ユーザに割り当てられるスロットは、２次元空間のデータ領域（Ｄａｔａ  Ｒｅｇｉｏｎ）によって定義され、これは、バーストで割り当てられる連続的なサブチャネルの集合である。ＯＦＤＭＡにおける１つのデータ領域は、時間座標とサブチャネル座標により決定される長方形で示される。このデータ領域は、特定ユーザのアップリンクに割り当てられるか、又は、基地局が前記データ領域を特定ユーザにダウンリンクで送信できる。
【０００９】
ダウンリンクサブフレームは、物理層における同期化及び等化のために使用されるプリアンブルにより開始され、その後、ダウンリンクとアップリンクに割り当てられるバーストの位置及び用途を定義するブロードキャスト形態のダウンリンクＭＡＰ（ＤＬ−ＭＡＰ）メッセージ及びアップリンクＭＡＰ（ＵＬ−ＭＡＰ）メッセージにより全体のフレーム構造を定義する。
【００１０】
ＤＬ−ＭＡＰメッセージは、バーストモード物理層においてダウンリンク区間に対して割り当てられたバーストの用途を定義し、ＵＬ−ＭＡＰメッセージは、アップリンク区間に対して割り当てられたバーストの用途を定義する。前記ＤＬ−ＭＡＰを構成する情報要素（Ｉｎｆｏｒｍａｔｉｏｎ  Ｅｌｅｍｅｎｔ：ＩＥ）は、ＤＩＵＣ（Ｄｏｗｎｌｉｎｋ  Ｉｎｔｅｒｖａｌ  Ｕｓａｇｅ  Ｃｏｄｅ）、ＣＩＤ（Ｃｏｎｎｅｃｔｉｏｎ  ＩＤ）、及びバーストの位置情報（例えば、サブチャネルオフセット、シンボルオフセット、サブチャネル数、及びシンボル数）を含む。前記ＩＥによりユーザ側のダウンリンクトラフィック区間が区分される。
【００１１】
一方、前記ＵＬ−ＭＡＰメッセージを構成するＩＥの用途は、各ＣＩＤ別にＵＩＵＣ（Ｕｐｌｉｎｋ  Ｉｎｔｅｒｖａｌ  Ｕｓａｇｅ  Ｃｏｄｅ）により決定され、各区間の位置は、「周期（ｄｕｒａｔｉｏｎ）」により定義される。ここで、ＵＬ−ＭＡＰにおいて使用されるＵＩＵＣ値により区間別の用途が決定され、各区間は、以前のＩＥ開始点からＵＬ−ＭＡＰ  ＩＥにおいて定義された「周期」だけ離れた地点で開始する。
【００１２】
ＤＣＤ（Ｄｏｗｎｌｉｎｋ  Ｃｈａｎｎｅｌ  Ｄｅｓｃｒｉｐｔｏｒ）メッセージ及びＵＣＤ（Ｕｐｌｉｎｋ  Ｃｈａｎｎｅｌ  Ｄｅｓｃｒｉｐｔｏｒ）メッセージは、それぞれダウンリンク及びアップリンクに割り当てられた各バースト区間に適用される物理層関連パラメータであり、変調タイプ（ｍｏｄｕｌａｔｉｏｎ  ｔｙｐｅ）、ＦＥＣコードタイプなどを含む。また、多様なダウンリンクエラー訂正コードタイプによって必要なパラメータ（例えば、Ｒ―ＳコードのＫ及びＲ値）が定義される。このようなパラメータは、ＵＣＤ及びＤＣＤ内でそれぞれＵＩＵＣ及びＤＩＵＣ別に定義されたバーストプロファイルにより提供される。
【００１３】
一方、ＯＦＤＭ／ＯＦＤＭＡシステムの多入力多出力（Ｍｕｌｔｉ−Ｉｎｐｕｔ  Ｍｕｌｔｉ−Ｏｕｔｐｕｔ：ＭＩＭＯ）技術は、ダイバーシティ方式とマルチプレキシング（ｍｕｌｔｉｐｌｅｘｉｎｇ）方式に分類される。ダイバーシティ方式は、異なるレイリーフェージング（Ｒａｙｌｅｉｇｈ  ｆａｄｉｎｇ）を受けた信号を複数の送受信アンテナにより結合することにより、経路間のチャネルディープ（ｄｅｅｐ）を互いに補完して受信性能を向上させる技術である。この技術により得られるダイバーシティ利得は、送信端で得られるか受信端で得られるかによって、送信ダイバーシティと受信ダイバーシティに区分される。送信アンテナの数がＮであり、受信アンテナの数がＭである場合、最大ＭＮ個の独立したフェージングチャネルを結合することにより、最大ダイバーシティ利得はＭＮとなる。
【００１４】
マルチプレキシング方式は、送受信アンテナ間の仮想のサブチャネルを作ってそれぞれの送信アンテナで異なるデータを送信することにより、送信速度を高くする方式である。ダイバーシティ方式とは異なり、マルチプレキシング方式は、送信端又は受信端の一方でのみマルチアンテナを用いる場合、十分な利得を得ることができない。マルチプレキシング方式において、同時に送信できる独立した送信信号の数は、マルチプレキシング利得（ｍｕｌｔｉｐｌｅｘｉｎｇ  ｂｅｎｅｆｉｔ）を示し、送信端のアンテナ数及び受信端のアンテナ数の最小値と同一である。
【００１５】
また、マルチプレキシング方式の一種として、ＣＳＭ（Ｃｏｌｌａｂｏｒａｔｉｖｅ  Ｓｐａｔｉａｌ  Ｍｕｌｔｉｐｌｅｘｉｎｇ）方式がある。ＣＳＭ方式は、２つの端末による同一のアップリンクの使用を可能にする技術であり、アップリンク無線リソースを節約できる。
【００１６】
ＯＦＤＭ／ＯＦＤＭＡシステムにおいて、アップリンク又はダウンリンクの無線リソース、すなわち、データバーストの割り当て方式は、ＨＡＲＱ方式をサポートするか否かによって、一般ＭＡＰ方式とＨＡＲＱ方式に区分される。
【００１７】
一般的なダウンリンクＭＡＰにおけるバースト割り当て方式は、時間軸と周波数軸からなる正方形で示される。この方式において、開始シンボルオフセット、開始サブチャネルオフセット、使用されるシンボルの数、及び使用されるサブチャネルの数が通知される。シンボル軸にバーストを順に割り当てる方式はアップリンクにおいて用いられるので、使用されるシンボルの数が通知されると、アップリンクのバーストを割り当てることができる。
【００１８】
ＨＡＲＱ  ＭＡＰは、一般ＭＡＰとは異なり、アップリンク及びダウンリンクを副搬送波軸に順に割り当てる方式を用いる。ＨＡＲＱ  ＭＡＰにおいては、バーストの長さのみが通知される。この方式により、バーストが順に割り当てられる。バーストの開始位置は、以前バーストの終了位置であり、前記バーストは、前記開始位置から割り当てられた長さだけ無線リソースを占有する。
【００１９】
ＯＦＤＭ／ＯＦＤＭＡシステムは、ＨＡＲＱ  ＭＡＰを利用してＨＡＲＱをサポートする。ＨＡＲＱ  ＭＡＰにおいて、ＤＬ−ＭＡＰに含まれるＨＡＲＱ  ＭＡＰポインタＩＥによりＨＡＲＱ  ＭＡＰ位置が通知される。従って、前記バーストがダウンリンクのサブチャネル軸に順に割り当てられる。バーストの開始位置は、以前バーストの終了位置であり、前記バーストは、前記開始位置から割り当てられた長さだけ無線リソースを占有する。これは、アップリンクにも適用される。
【００２０】
図３は、従来の一般的なＤＬ−ＭＡＰを利用して端末に割り当てられたアップリンク無線リソース（データバースト）を示す。
【００２１】
一般的なＤＬ−ＭＡＰの場合、ＵＬ−ＭＡＰの位置の次の１番目のバーストが端末に割り当てられる。ＵＬ−ＭＡＰは、ＵＬ−ＭＡＰ  ＩＥによりアップリンクデータバーストを割り当てる。
【００２２】
ＩＥＥＥ８０２．１６ｄとｅに基づいたＯＦＤＭＡ技術のＣＳＭ方式において、一般的なＤＬ−ＭＡＰ方式における基地局は、各端末にデータバーストの位置を表１に示すデータフォーマットを有するＭＩＭＯ  ＵＬベーシックＩＥにより通知し、各端末に同一の無線リソースを割り当てる。
【００２３】
前記ＭＩＭＯ  ＵＬベーシックＩＥの使用を通知するためには、ＵＩＵＣ＝１５が拡張ＵＩＵＣとして使用される。全１６個の異なる値が前記拡張ＵＩＵＣとして表される。
【００２４】
【表１】
2008503974.tif 000003
同一のアップリンクリソースを２つの端末に割り当てるために使用する前記ＭＩＭＯ  ＵＬベーシックＩＥは、従来の他のＭＩＭＯのためにも使用される。２つ以上のアンテナを有する端末の場合、ＭＩＭＯ  ＵＬベーシックＩＥは、どの方式が使用されるか、すなわち、ダイバーシティ利得を得るためのＳＴＴＤ方式が使用されるか、送信速度を向上させるためのＳＭ方式が使用されるかを端末に通知する。
【００２５】
ＩＥＥＥ８０２．１６ｄ及びｅに基づいたＯＦＤＭＡ技術において、ＣＳＭ方式は、ＨＡＲＱ実現のためのＨＡＲＱ  ＭＡＰにより実現される。図４は、従来のＨＡＲＱ  ＭＡＰを利用して端末に割り当てられたアップリンク無線リソース（データバースト）を示す。
【００２６】
ＤＬ−ＭＡＰにより全てのバーストを通知する方式とは異なり、図４に示す方式では、ＨＡＲＱ専用ＤＬ−ＭＡＰ  ＩＥのＨＡＲＱ  ＭＡＰポインタＩＥによりＨＡＲＱの存在が通知される。前記ＨＡＲＱ  ＭＡＰポインタＩＥは、ＨＡＲＱ  ＭＡＰの変調、及びＨＡＲＱ  ＭＡＰの符号化状態とサイズを通知する。
【００２７】
前記ＨＡＲＱ  ＭＡＰは、ＨＡＲＱバーストの位置及びサイズを通知するコンパクトＤＬ−ＭＡＰ／ＵＬ−ＭＡＰで構成される。特に、ＭＩＭＯのためにはＭＩＭＯコンパクトＵＬ  ＩＥを使用する。前記ＭＩＭＯコンパクトＵＬ  ＩＥは、既存サブチャネルを割り当てる「コンパクトＵＬ−ＭＡＰ  ＩＥ  ｆｏｒ  ｎｏｒｍａｌサブチャネル」とバンドＡＭＣを割り当てる「コンパクトＵＬ−ＭＡＰ  ＩＥ  ｆｏｒ  ｂａｎｄ  ＡＭＣ」の次の位置に加えられて使用される。図４に示すように、前記ＭＩＭＯコンパクトＵＬ  ＩＥは、以前に割り当てられたサブチャネルの機能のみを有する。
【００２８】
前述したような従来技術において、アップリンクの使用量が増加してより多くの無線リソースを必要とする場合、特別な対策がないという問題がある。この場合、周波数リソースを付加する方法を考慮することができる。しかしながら、この方法は、基地局の位置を考慮する必要があり、システム全般に影響を与えるため、アップリンクリソースの増加に対する好ましい代案でない。より好ましい方法は、以前に１ユーザに割り当てられた既存無線リソースを同時に２以上のユーザが使用する方法である。
【発明の開示】
【発明が解決しようとする課題】
【００２９】
本発明の目的は、アップリンクから割り当てられた１つの無線リソースを複数のユーザが同時に占有して使用できるようにしたＯＦＤＭ／ＯＦＤＭＡシステムにおける無線リソース割り当て方法を提供することにある。
【課題を解決するための手段】
【００３０】
このような目的を達成するために、本発明は、同一のアップリンク無線リソースが２つ以上の端末に割り当てられる直交周波数多重接続システムにおける無線リソース割り当て方法を提供する。
【００３１】
本発明の一実施形態による直交周波数分割多重化を利用した無線通信システムにおいて無線リソースを割り当てる方法は、基地局から無線リソース割り当てマップに関するデータを受信する段階を含み、前記無線リソース割り当てマップは、前記アップリンクデータを前記基地局に送信するための制御パラメータを含み、前記制御パラメータは、少なくとも１つの移動局が少なくとも同時デュアル送信をサポートすることに関連した直交パイロットパターンの使用、及び同一周波数帯域と同一時間周期での使用のための直交パイロットパターンインジケータを含む。前記直交パイロットパターンは、アップリンク基本割当単位のために使用される少なくとも１つのマイナスパイロットを含み、前記移動局は、このような直交パイロットパターンを使用して前記基地局にアップリンクデータを伝送する。好ましくは、前記少なくとも同時デュアル送信は、前記移動局において少なくとも２つのアンテナを使用することにより達成される。
【００３２】
本発明の一態様において、それぞれの前記直交パイロットパターンは、前記アップリンク基本割当単位の各対角線コーナーに位置するプラスパイロットと前記マイナスパイロットを含む。好ましくは、前記プラスパイロット及び前記マイナスパイロットは、逆位相を有する。
【００３３】
本発明の他の態様において、前記直交パイロットパターンに関する情報は、マップ情報要素又はＨＡＲＱマップ情報要素を使用する前記移動局に伝送される。
【００３４】
本発明のさらに他の態様において、前記アップリンクデータは、前記直交パイロットパターンを使用して同一のサブチャネルに空間多重化された少なくとも２セットのデータを含む。
【００３５】
本発明の他の実施形態により、直交周波数分割多重化システムにおいて無線リソースを割り当てる方法は、無線リソース割り当てマップに関するデータを移動局に送信する段階と、直交パイロットパターンを使用してコード化したアップリンクデータを前記移動局から受信する段階とを含み、前記無線割当マップは、前記アップリンクデータを前記基地局に送信するための制御パラメータを含み、前記制御パラメータは、少なくとも１つの移動局による少なくとも同時デュアル送信のサポートに関する直交パイロットパターンの使用、及び同一周波数帯域と同一時間周期での使用のための直交パイロットパターンインジケータを含み、前記直交パイロットパターンは、アップリンク基本割当単位のために使用される少なくとも１つのマイナスパイロットを含む。好ましくは、前記少なくとも同時デュアル送信は、前記移動局で少なくとも２つのアンテナを用いて達成され、前記アップリンクデータは、前記直交パイロットパターンを使用して前記同一サブチャネルに空間多重化された少なくとも２セットのデータを含む。
【００３６】
本発明の一態様において、それぞれの前記直交パイロットパターンは、前記アップリンク基本割当単位の各対角線コーナーに位置するプラスパイロットと前記マイナスパイロットを含む。好ましくは、前記プラスパイロット及び前記マイナスパイロットは、逆位相を有する。
【００３７】
本発明の他の態様において、前記直交パイロットパターンに関する情報は、マップ情報要素又はＨＡＲＱマップ情報要素を使用する前記移動局に伝送される。
【００３８】
本発明の他の目的、特徴、態様、及び利点は、添付図面及び以下の詳細な説明から明白になる。
【発明の効果】
【００３９】
本発明は、１ユーザに割り当てられる無線リソースを２以上のユーザが使用する方法を実現することにより、周波数帯域幅を追加せずにアップリンクの容量を増加できる。また、本発明は、ＴＤＤ方式においてアップリンクに割り当てられた時間の一部をダウンリンクに割り当てるように、アップリンクに割り当てられていた無線リソースをダウンリンクに割り当てることにより、限られた無線リソースを効率的に運用できるという効果がある。
【００４０】
本発明は、アップリンクのリソースを２つの端末機に割り当てることによりアップリンク無線リソースを節約でき、現在のリソース割り当て（ｃｕｒｒｅｎｔ  ｒｅｓｏｕｒｃｅ  ａｌｌｏｃａｔｉｏｎ）及びＨＡＲＱの両方に適用できる。
【発明を実施するための最良の形態】
【００４１】
以下、添付図面を参照して本発明の好ましい実施形態を説明する。
【００４２】
本発明は、アップリンク容量を増大させるための技術であり、１つの移動端末に割り当てられる無線リソースを複数の移動端末が同時に使用できるようにする。移動端末は、無線チャネルを測定するためのパイロット又は学習信号（Ｒｅｆｅｒｅｎｃｅ  Ｓｉｇｎａｌ）の変更を必要とし、基地局は、１つの無線リソースを使用して送信された複数の移動端末のデータ（又は、信号）を復号化する方法、及びユーザの増加による信号干渉の影響を低減する電力制御方法を必要とする。
【００４３】
図５は、本発明の一実施形態によるＯＦＤＭ／ＯＦＤＭＡシステムにおけるアップリンク無線リソースの割り当てを示す図であり、説明の便宜のために、ユーザ１とユーザ５に同一の無線リソースが割り当てられると仮定する。ここで、「ユーザ」は、移動端末を意味する。
【００４４】
基地局は、まず、シグナリング又はメッセージにより前記２ユーザ（ユーザ１及びユーザ５）に同一の無線リソースを割り当てたことを通知し、使用されるチャネル符号化のタイプ、符号化率、変調方式、パイロットパターン、時空間符号方式、その他パラメータなどの情報を通知する。
【００４５】
前記２ユーザ（ユーザ１及びユーザ５）の移動端末と基地局間の信号送受信は、時空間符号方式、基地局の受信アンテナの数、及び移動端末の送信アンテナの数によってそれぞれ異なる４つの送受信の組み合わせを有する。以下、前記４つの送受信の組み合わせについて説明する。
【００４６】
第１に、空間多重化（Ｓｐａｔｉａｌ  ｍｕｌｔｉｐｌｅｘｉｎｇ）送信方式に基づいて、前記２ユーザ（ユーザ１及びユーザ５）の移動端末がそれぞれ１つの送信アンテナを備え、基地局が２つ以上の受信アンテナを備える場合、前記送受信の組み合わせは、式１のように定義される。
【００４７】
【数１】
2008503974.tif 000004
式１において、ｘｉは、ｉ番目のアンテナに送信された信号であり、ｈｊｉは、ｉ番目の移動端末から基地局のｊ番目のアンテナに送信されたチャネルであり、ｓｉは、前記ｉ番目の移動端末のデータであり、νは、加法的白色ガウス雑音ベクトル（Ａｄｄｉｔｉｖｅ  Ｗｈｉｔｅ  Ｇａｕｓｓｉａｎ  Ｎｏｉｓｅ  Ｖｅｃｔｏｒ：ＡＷＧＮ  Ｖｅｃｔｏｒ）である。
【００４８】
第２に、前記空間多重化送信方式に基づいて、前記２ユーザ（ユーザ１及びユーザ５）の移動端末がそれぞれ１つの送信アンテナを備え、基地局が１つの受信アンテナを備える場合、送受信の組み合わせは、式２のように定義される。
【００４９】
【数２】
2008503974.tif 000005
式２において、ｘは、基地局に送信された信号であり、ｈｉ、はｉ番目の移動端末から基地局に送信されたチャネルであり、ｓｉは、ｉ番目の移動端末のデータであり、νは加法的白色ガウス雑音ベクトルである。
【００５０】
第３に、時空間送信ダイバーシティ（Ｓｐａｃｅ  Ｔｉｍｅ  Ｔｒａｎｓｍｉｔ  Ｄｉｖｅｒｓｉｔｙ）送信方式に基づいて、前記２ユーザ（ユーザ１及びユーザ５）の移動端末がそれぞれ２つずつの送信アンテナを備え、基地局が２つ以上の受信アンテナを備える場合、送受信の組み合わせは、式３のように定義される。
【００５１】
【数３】
2008503974.tif 000006
式３において、ｘｉは、基地局のｉ番目のアンテナに送信された信号であり、ｈｉ，ｊｋは、ｉ番目の移動端末のｋ番目のアンテナから基地局のｊ番目のアンテナに送信されたチャネルであり、ｓｉ，ｊは、ｉ番目の移動端末のｊ番目のデータであり、νは、加法的白色ガウス雑音ベクトルである。
【００５２】
第４に、前記空間多重化送信方式に基づいて、前記２ユーザ（ユーザ１及びユーザ５）の移動端末がそれぞれ複数の送信アンテナを備え、基地局が４つ以上の受信アンテナを備える場合、送受信の組み合わせは、式４のように定義される。
【００５３】
【数４】
2008503974.tif 000007
式４において、ｘｉは、基地局のｉ番目のアンテナに送信された信号であり、ｈｉ，ｊｋは、ｉ番目の移動端末のｋ番目のアンテナから基地局のｊ番目のアンテナに送信されたチャネルであり、ｓｉ，ｊは、ｉ番目の移動端末のｊ番目のデータであり、νは、加法的白色ガウス雑音ベクトルである。
【００５４】
前記基地局は、前記２ユーザ（ユーザ１及びユーザ５）に所定情報（チャネル符号化のタイプ、符号化率、変調方式、パイロットパターン、時空間符号方式など）を伝送し、前記２ユーザ（ユーザ１及びユーザ５）の優先順位を決定する。（ここで、前記ユーザ１が１番目のユーザであり、ユーザ５が５番目のユーザであると仮定する。）
それぞれの優先順位が決定されると、前記２ユーザは、それぞれユーザ自身のデータを基本割当単位のデータ用副搬送波に含めて基地局に送信する。前記基本割当単位は図６に示す。
【００５５】
図６は、ＯＦＤＭ／ＯＦＤＭＡシステムにおいてアップリンクで送信される無線リソースの基本割当単位（タイル（ｔｉｌｅ）としても知られる）を示す図であり、前記基本割当単位の倍数は、１ユーザに割り当てできる最小割り当て単位となる。既存の例としては、基本割当単位の６倍が最小割り当て単位である。
【００５６】
基本割当単位の周波数軸は、副搬送波の順序でもあり得、拡張した（ｅｘｔｅｎｄｅｄ）（又は、隣接した）複数の副搬送波をグループ化してグループ単位で軸を構成することもできる。このような軸は、任意に構成できる。
【００５７】
ＯＦＤＭ／ＯＦＤＭＡシステムにおいてアップリンクで送信される基本割当単位は、システムの特性によって、図６とは異なる構造を有することもあり、パイロット及びデータの配置が異なることもある。図６と異なる基本割当単位を使用する場合、それに合うパイロットパターンを図１０に示すように組み合わせることができる。
【００５８】
基地局は、受信されたデータがどのユーザ（又は、移動端末）のデータであるかを区分するために、アップリンクで受信された基本割当単位内のパイロットパターンを分析する。すなわち、基本割当単位に含まれるパイロットパターンを分析し、受信されたデータがユーザ１のデータであるかユーザ５のデータであるかを判別する。
【００５９】
図７及び図８は、本発明の第１実施形態によるパイロットパターンを示す図であり、図９は、図７及び図８の各パイロットに割り当てられる信号値を示すテーブルである。
【００６０】
図７に示すパターン１、２、３において、ユーザ１とユーザ５は、異なるパイロットを使用する。従って、２ユーザのデータが識別できる。一方、図８に示すパターン４において、ユーザ１とユーザ５は同一のパイロット副搬送波又はサブチャネルを使用するが、直交符号を使用して前記２ユーザのデータが識別できる。
【００６１】
これを分割方法の側面から説明すると、前記パターン１は、時分割及び周波数分割によるパイロットであり、前記パターン２は、周波数分割によるパイロットであり、パターン３は、時分割によるパイロットであり、パターン４は、コード分割によるパイロットである。
【００６２】
図７及び図８のパイロットパターンは、本発明による実施形態を示し、その形状は、基本割当単位によって変化する。また、前記２ユーザ（ユーザ１及びユーザ５）の無線リソースが複数の基本割当単位から構成されている場合、図１０に示すように、図７〜図９のパターンを組み合わせることができる。
【００６３】
図９を参照すると、パイロットパターンＣ及びＤは、本発明による実施形態を示す。直交性のため、前記パイロットパターンＣ及びＤは、表４のように、デュアル送信できる移動局のために使用される。前記パイロット信号値の＋１は、正振幅パイロット（ｐｏｓｉｔｉｖｅ  ａｍｐｌｉｔｕｄｅ  ｐｉｌｏｔ）を示し、前記パイロット信号値の−１は、負振幅パイロット（ｎｅｇａｔｉｖｅ  ａｍｐｌｉｔｕｄｅ  ｐｉｌｏｔ）を示す。すなわち、＋１と−１は、１８０度だけ位相シフトされたパイロットを示す。
【００６４】
パイロットは、無線チャネルによる歪みを補正するために使用されるので、ユーザ１用パイロットとユーザ５用パイロットが交互に現れる構造を備えなければならない。基地局は、パイロット信号を各ユーザの無線チャネル測定及びチャネル補正のために使用し、ユーザのデータを区分する方法に適用する。また、下記最大尤度（Ｍａｘｉｍｕｍ  ｌｉｋｅｌｉｈｏｏｄ）のような検波方法の式に、周知の同時割り当てのためのユーザの数と各ユーザの無線チャネルを代入することにより、各ユーザのデータを分離して検波する。
【００６５】
【数５】
2008503974.tif 000008
前記空間多重化送信方式に基づいて、式５は、前記２ユーザ（ユーザ１及びユーザ５）の移動端末がそれぞれ１つの送信アンテナを備え、基地局が１つの受信アンテナを備えた場合の最大尤度の式を示す。
【００６６】
式５の
2008503974.tif 000009
【００６７】
は、パイロットを利用して得た無線チャネル係数
2008503974.tif 000010
【００６８】
の推定値である。さらに、前記
2008503974.tif 000011
【００６９】
は、
2008503974.tif 000012
【００７０】
を利用して再推定でき、前記再推定した
2008503974.tif 000013
【００７１】
を利用して再び
2008503974.tif 000014
【００７２】
を更新できる。また、式５の
2008503974.tif 000015
【００７３】
は、既知の変調値の値と０を有する。例えば、変調方式がＱＰＳＫ方式である場合、
2008503974.tif 000016
【００７４】
が有することのできる値の集合は｛１＋ｉ，  １−ｉ，  −１＋ｉ，  −１−ｉ，  ０｝である。
【００７５】
基地局は、前記２ユーザ（ユーザ１及びユーザ５）の信号が適切な電力を有するように、ダウンリンクで前記２ユーザの電力を制御する。基地局は、場合によって、前記２ユーザの総電力が一定になるように制御することもでき、前記２ユーザの信号電力をそれぞれ制御することもできる。より詳しく説明すると、基地局は、ユーザ１の電力Ｐ１とユーザ５の電力Ｐ５を加えた電力（Ｐ１＋Ｐ５）が他のユーザ（ユーザ２、ユーザ３、又はユーザ４）の電力（Ｐ２、Ｐ３、又はＰ４）と同一に維持されるように制御するか、前記２ユーザの電力の合計（Ｐ１＋Ｐ５）が他のユーザの電力（Ｐ２、Ｐ３、又はＰ４）より強く又は弱く維持されるように制御する。
【００７６】
一方、基地局は、前記２ユーザのデータを正確に検波するために、前記２ユーザの電力比（Ｐ１：Ｐ５）を調整することもある。すなわち、前記２ユーザの電力比（Ｐ１：Ｐ５）を調整するために、前記２ユーザのうち一方のユーザの電力に加重値を含める。
【００７７】
例えば、ＱＰＳＫを使用する２ユーザ間の電力比を１：４にすると、加えた信号が下記の表２のようにそれぞれ異なる値を有するので、検波が容易になる。
【００７８】
【表２】
2008503974.tif 000017
データを送信できないユーザは、ヌル（ｎｕｌｌ）値やダミーコード（ｄｕｍｍｙ  ｃｏｄｅ）を基地局に送信する。例えば、図３に示す構造において、ユーザは８つのデータ用副搬送波に１＋ｉを含んで送信する。
【００７９】
以下、本発明による他の好ましい実施形態について説明する。
【００８０】
端末がＣＳＭ方式を用いる場合、２つの移動端末に同一のアップリンク無線リソースが割り当てられ、前記２つの移動端末から伝送される信号を区別するためにそれぞれ異なるパイロットパターンが使用される。２つのアンテナを有する前記２つの移動端末にＣＳＭ方式を適用することは、一般的なＤＬ−ＭＡＰとＨＡＲＱ  ＭＡＰにより可能である。
【００８１】
図１１は、本発明の一実施形態による一般的なＤＬ−ＭＡＰを利用したＣＳＭ方式の動作を示す図である。
【００８２】
一般的なＤＬ−ＭＡＰの場合、ＵＬ−ＭＡＰは、それに続く１番目のデータバーストを端末に割り当てる。前記ＵＬ−ＭＡＰは、ＵＬ−ＭＡＰ  ＩＥによりデータバーストを図１０に示すように割り当てる。
【００８３】
ＣＳＭ方式の場合、２つの移動端末に割り当てられるバーストの位置は、表３のフォーマットを有するＭＩＭＯ  ＵＬ強化（Ｅｎｈａｎｃｅｄ）ＩＥ、又は、既存のＭＩＭＯ  ＵＬベーシックＩＥにより通知される。
【００８４】
以下、新しいＩＥであるＭＩＭＯ  ＵＬ強化ＩＥによるＣＳＭ方式の実施形態を説明する。ＵＩＵＣとして表現される全てのＩＥが含まれると、表３に示すように、新しいＩＥを加えるために新規拡張（ｎｅｗ  Ｅｘｔｅｎｄｅｄ）ＵＩＵＣを１１個のスロットとして製造できる。
【００８５】
【表３】
2008503974.tif 000018
【００８６】
【表４】
2008503974.tif 000019
表４において、アップリンクのリソース割り当ては、「周期（ｄｕｒａｔｉｏｎ）」というフィールド値により決定される。ダウンリンクにおいて使用される正方形状のリソース割り当てとは異なり、基地局は、時間軸に割り当てられるスロットの数を累積し、端末にその累積された値を通知する。ここで、使用されるバーストの数は「Ｎｕｍ＿ａｓｓｉｇｎ」フィールドにより通知され、基地局は、各バースト毎に割り当てられた移動端末のＣＩＤ（Ｃｏｎｎｅｃｔｉｏｎ  ＩＤ）を繰り返し通知する。
【００８７】
前記移動端末に割り当てられたバーストの特徴は、「ＭＩＭＯ  ｃｏｎｔｒｏｌ」フィールドにより決定されることが好ましい。ＭＩＭＯモードの１つであるＣＳＭを適用するために前記移動端末が前記基地局に登録されると、ＣＳＭが適用できるか否かを知るために、前記移動端末と基地局間にＣＳＭネゴシエーションが行われ、このようなＣＳＭが可能な移動端末にＣＳＭを適用する。
【００８８】
表５は、前記ＣＳＭネゴシエーション中に前記基地局と移動端末間に交換されるＳＢＣ要求／応答（ＲＥＱ／ＲＳＰ）メッセージの構造を示す。
【００８９】
【表５】
2008503974.tif 000020
２つの端末がそれぞれ１つのアンテナを有する場合、基地局は、パイロットパターンをＡ及びＢとして２つの信号を区別する。前記２つの端末がそれぞれ２つのアンテナを保有する場合、基地局は、１つの端末にはパイロットパターンＡ及びＢを、他の端末にはパイロットパターンＣ及びＤを付与する。
【００９０】
前述したように、「ＭＩＭＯ  ＵＬ強化ＩＥ」メッセージは、「拡張ＵＩＵＣ＝１１」により使用可能になる。前記「ＭＩＭＯ  ＵＬ強化ＩＥ」メッセージは、端末が１つのアンテナのみを有するときはもちろん、２つのアンテナを有するときも使用できる。前記ＩＥの特徴は、基地局にアップロードされる１つのアップリンクバーストに２つの端末を同時に割り当てることである。図１１に示すように、２つの端末に割り当てられるアップリンクバースト（バースト＃１、バースト＃２）は、１つのアップリンクを利用して割り当てられる。
【００９１】
次に、「ＭＩＭＯ  ＵＬベーシックＩＥ」メッセージを利用したＣＳＭ方式の実施形態を説明する。表６は、前記「ＭＩＭＯ  ＵＬベーシックＩＥ」メッセージのデータフォーマットを示す。
【００９２】
【表６】
2008503974.tif 000021
基地局が同一のアップリンクリソース（データバースト）を２つの端末に割り当てるために使用する前記「ＭＩＭＯ  ＵＬベーシックＩＥ」メッセージは、他のＭＩＭＯのためにも使用される。まず、各端末が、２つ以上のアンテナを有する場合、基地局は、「ＭＩＭＯ  ｃｏｎｔｒｏｌ」フィールドを使用して、ダイバーシティ利得を得るためのＳＴＴＤ方式を用いるか、送信速度を向上させるのためのＳＭ方式を用いるかを端末に通知する。また、各端末がＣＳＭ方式をサポートする場合、基地局は、「ＭＩＭＯ  ｃｏｎｔｒｏｌ」フィールドを使用して２つの端末に同一のアップリンクリソースを割り当て、また、前記２端末から送信された信号を区別するためにそれぞれ異なるパイロットパターンを使用することを前記２端末に指示する。本発明の適用のために、各端末が２つのアンテナを有する場合、既存の「ＭＩＭＯ  ｃｏｎｔｒｏｌ」フィールドは、ＣＳＭのために保留（ｒｅｓｅｒｖｅｄ）された１ビットを利用して２つの端末が使用するパイロットパターンを通知する。パイロットパターンは、Ａ〜Ｄがあり、各端末に２つずつ割り当てられる。
【００９３】
以下、本発明の好ましい実施形態としてＨＡＲＱ−ＭＡＰを利用したＣＳＭ方式を説明する。ＤＬ−ＭＡＰにより端末にバーストを割り当てる既存の方式とは異なり、ＤＬ−ＭＡＰ  ＩＥのＨＡＲＱ  ＭＡＰポインタＩＥによりＨＡＲＱの存在が通知される。前記ＨＡＲＱ  ＭＡＰポインタＩＥは、ＨＡＲＱ  ＭＡＰの変調及び符号化状態、並びに前記ＨＡＲＱ  ＭＡＰのサイズを通知する。
【００９４】
前記ＨＡＲＱポインタＩＥにより通知されたＨＡＲＱ  ＭＡＰは、ＨＡＲＱバーストの位置及びサイズを通知するＭＩＭＯコンパクトＤＬ−ＭＡＰ／ＵＬ−ＭＡＰで構成される。特に、ＭＩＭＯモードを決定するためにＭＩＭＯコンパクトＵＬ  ＩＥを使用し、ＣＳＭのために「ＭＩＭＯ  ｃｏｍｐａｃｔ  ＵＬ  ＩＥ  ｆｏｒ  ｃｏｌｌａｂｏｒａｔｉｖｅ  ＳＭ」を使用する。
【００９５】
図１２は、本発明の一実施形態によるＨＡＲＱ−ＭＡＰを利用したＣＳＭ方式の動作を示す。表７は、前記ＣＳＭ方式の動作のための前記「ＭＩＭＯコンパクトＵＬ  ＭＡＰ  ＩＥ」メッセージのデータフォーマットを示す。
【００９６】
前記「ＭＩＭＯコンパクトＵＬ  ＩＥ」メッセージは、従来技術のサブチャネルを割り当てる「Ｃｏｍｐａｃｔ  ＵＬ−ＭＡＰ  ＩＥ  ｆｏｒ  ｎｏｒｍａｌサブチャネル」とＢａｎｄ  ＡＭＣを割り当てる「Ｃｏｍｐａｃｔ  ＵＬ−ＭＡＰ  ＩＥ  ｆｏｒ  ｂａｎｄ  ＡＭＣ」を利用する。ＣＳＭの特徴により、同一のサブチャネル（アップリンクリソース）を割り当てなければならないため、図１２に示すように、前記ＨＡＲＱ  ＭＡＰは、異なる接続因子（Ｃｏｎｎｅｃｔｉｏｎ  Ｆａｃｔｏｒ：ＲＣＩＤ）を有する２つのチャネルにそれぞれ同一のサブチャネルを割り当て、割り当てられた領域の機能を付与するために、「ＭＩＭＯ  ｃｏｍｐａｃｔ  ＵＬ  ＩＥ  ｆｏｒ  ｃｏｌｌａｂｏｒａｔｉｖｅ  ＳＭ」を前記サブチャネルの次の位置に添付して使用する。各端末のアンテナ数によって「ＣＳＭ＿ｃｏｎｔｒｏｌ」の値が変わる。すなわち、各端末のアンテナが１つである場合は、２つの端末が使用するパイロットパターンがＡとＢに分けられ、各端末のアンテナが２つである場合は、１つの端末にはＡとＢを、他の端末にはＣとＤを割り当てる。
【００９７】
【表７】
2008503974.tif 000022
図１３は、本発明の実施形態によるＨＡＲＱ−ＭＡＰを利用したＣＳＭ方式の動作を説明するための図であり、表８は、前記「ＭＩＭＯコンパクトＵＬ  ＭＡＰ  ＩＥ」メッセージのデータフォーマットを示す。
【００９８】
前記「ＭＩＭＯコンパクトＵＬ  ＭＡＰ  ＩＥ」メッセージは、サブチャネルを割り当てる「Ｃｏｍｐａｃｔ  ＵＬ−ＭＡＰ  ＩＥ  ｆｏｒ  ｎｏｒｍａｌサブチャネル」とＢａｎｄ  ＡＭＣを割り当てる「Ｃｏｍｐａｃｔ  ＵＬ−ＭＡＰ  ＩＥ  ｆｏｒ  ｂａｎｄ  ＡＭＣ」を利用する。ＣＳＭの特徴により、同一のサブチャネル（アップリンクリソース）を割り当てなければならないため、図１３に示すように、異なる接続因子（ＲＣＩＤ）を有する２つの端末に同一のサブチャネルを割り当てるためにそれぞれ別途の２つのＩＥを利用する。また、前記割り当てられた領域の機能を割り当てるために、前記「ＭＩＭＯ  ｃｏｍｐａｃｔ  ＵＬ  ＩＥ  ｆｏｒ  ｃｏｌｌａｂｏｒａｔｉｖｅ  ＳＭ」が前記２つのＩＥの次の位置に別途に添付される。前記端末のアンテナ数によって「ＣＳＭ＿ｃｏｎｔｒｏｌ」の値が変わる。すなわち、前記各端末が１つのアンテナを用いる場合、２つの端末が使用する前記パイロットパターンはそれぞれＡとＢに分けられ、各端末が２つのアンテナを用いる場合、１つの端末にはＡとＢが、他の端末にはＣとＤが割り当てられる。
【００９９】
【表８】
2008503974.tif 000023
ＣＳＭ方式をサポートする２つの端末は、それぞれＳＭとＳＴＴＤ方式を用いる。
【０１００】
簡単に説明すると、例えば、２つのアンテナを用いる１つの端末が同一のデータ領域を介してデータを送信すると仮定する場合、前記端末がＳＭ方式を用いると、前記２つのアンテナは、同時にそれぞれ信号を送信し、前記基地局は、式６で表される各信号を受信する。従って、前記基地局が信号を検出するとき、電力制御が必要である。
【０１０１】
【数６】
2008503974.tif 000024
前記端末がＳＴＴＤ方式を用いる場合、最初（ｔｉｍｅ  １）は、２つのアンテナが
2008503974.tif 000025
【０１０２】
をそれぞれ送信し、次（ｔｉｍｅ  ２）に、
2008503974.tif 000026
【０１０３】
をそれぞれ送信する。基地局に受信された信号は、式７に示す。
【０１０４】
【数７】
2008503974.tif 000027
ここで、ノイズは無視できるほどわずかであると仮定する場合、２つの既知の受信信号を用いて２つの未知の送信信号を式８のように検出できる。結果的に、検出のために特定電力を利用する必要がない。
【０１０５】
【数８】
2008503974.tif 000028
２つのアンテナを有する２つの端末が同一のデータ領域を介してデータを送信する場合、ＣＳＭ方式が使用される。すなわち、ＳＭ方式の場合は、電力制御を利用して４つのデータを検出することができ、ＳＴＴＤ方式の場合は、４つの受信信号を用いて４つの送信信号を検出することができる。
【０１０６】
本発明を図面に示す実施形態に基づいて説明したが、これは単なる説明の便宜のための例示にすぎない。当該技術分野における通常の知識を有する者であれば多様な変更、変形、及び均等な他の実施例が可能であることを理解できるであろう。本発明の技術的保護範囲は、添付された特許請求の範囲の技術的思想により決定されるべきである。
【図面の簡単な説明】
【０１０７】
発明の理解を容易にするために添付され、本明細書の一部を構成する図面は、発明の多様な実施形態を示し、明細書と共に発明の原理を説明するためのものである。
【図１】従来の無線リソースの割り当てを示す図である。
【図２】従来のＯＦＤＭＡ無線通信システムにおけるデータフレームの構成を示す図である。
【図３】従来技術による一般的なＤＬ−ＭＡＰを利用して端末にアップリンク無線リソースを割り当てる動作を示す図である。
【図４】従来技術によるＨＡＲＱ−ＭＡＰを利用して端末にアップリンク無線リソースを割り当てる動作を示す図である。
【図５】本発明の第１実施形態によるＯＦＤＭ／ＯＦＤＭＡシステムにおけるアップリンク無線リソースの割り当てを示す図である。
【図６】ＯＦＤＭ／ＯＦＤＭＡシステムにおいてアップリンクで送信されるアップリンク無線リソースの基本割当単位を示す図である。
【図７】本発明の第１実施形態によるマルチユーザ用パイロットパターンを示す図である。
【図８】本発明の他の実施形態による異なる直交コードを使用するパイロットパターンを示す図である。
【図９】図７及び図８の各パイロットに割り当てられる信号値テーブルを示す。
【図１０】本発明の一実施形態によるアップリンクデータバーストを構成するパイロットパターンの組み合わせを示す図である。
【図１１】本発明の一実施形態による一般的なＤＬ−ＭＡＰを利用するＣＳＭ方式に基づいた動作を示す図である。
【図１２】本発明の一実施形態によるＨＡＲＱ−ＭＡＰを利用するＣＳＭ方式に基づいた動作を示す図である。
【図１３】本発明の他の実施形態によるＨＡＲＱ−ＭＡＰを利用したＣＳＭ方式に基づいた動作を示す図である。
【図１】
2008503974.tif 000032
【図２】
2008503974.tif 000033
【図３】
2008503974.tif 000034
【図４】
2008503974.tif 000035
【図５】
2008503974.tif 000036
【図６】
2008503974.tif 000037
【図７】
2008503974.tif 000038
【図８】
2008503974.tif 000039
【図９】
2008503974.tif 000040
【図１０】
2008503974.tif 000041
【図１１】
2008503974.tif 000042
【図１２】
2008503974.tif 000043
【図１３】
2008503974.tif 000044
【国際調査報告】
2008503974.tif 000045
2008503974.tif 000046